(57)【要約】【課題】配線ミスを防ぐことができる端子装置、及びこの端子装置を備えた照明装置を提供する。【解決手段】端子装置１は、電線Ｌ１が通される挿入孔２０が設けられた筐体２２と、筐体２２内に収容され、挿入孔２０を通して筐体２２内に挿入される電線Ｌ１が電気的に接続される導体２１とを有する端子台２と、筐体２２の外側に位置し、挿入孔２０に比べて幅の狭い通し孔３０を有する誤接続防止部材３と、を備える。【選択図】図１
2020021575.tif 000002
【特許請求の範囲】
【請求項１】
電線が通される挿入孔が設けられた筐体と、前記筐体内に収容され、前記挿入孔を通して前記筐体内に挿入される前記電線と電気的に接続される導体とを有する端子台と、
前記筐体の外側に位置し、前記挿入孔に比べて幅の狭い通し孔を有する誤接続防止部材と、を備える、
端子装置。
【請求項２】
前記誤接続防止部材は、前記筐体の外側において前記挿入孔に対向する壁を更に有し、
前記通し孔は、前記壁に貫通するように設けられている、
請求項１の端子装置。
【請求項３】
前記壁と前記挿入孔の間の距離は、前記電線の径よりも短い、
請求項２の端子装置。
【請求項４】
前記通し孔は、前記壁に設けられた切欠きである、
請求項２又は３の端子装置。
【請求項５】
前記端子台に取り付けられるカバーを更に備え、
前記誤接続防止部材は、前記カバーと一体に設けられている、
請求項１〜４のいずれか１つの端子装置。
【請求項６】
前記誤接続防止部材は、前記端子台と一体に設けられている、
請求項１〜４のいずれか１つの端子装置。
【請求項７】
請求項１〜６のいずれか１つの端子装置と、
前記電線よりも太い第二の電線が接続される第二端子装置と、
点灯する光源ユニットと、を備え、
前記第二の電線の径は、前記通し孔の幅よりも大きい、
照明装置。
【発明の詳細な説明】
【技術分野】
【０００１】
本開示は、端子装置及びこの端子装置を備えた照明装置に関する。
【背景技術】
【０００２】
特許文献１には、電源線が接続される電源端子台と、信号線が接続される信号端子台とを備える照明システムが、開示されている。
【先行技術文献】
【特許文献】
【０００３】
【特許文献１】特開２０１７−９８３３９号公報
【発明の概要】
【発明が解決しようとする課題】
【０００４】
ところで、従来の照明装置（特許文献１に記載の照明システム）のように、電源端子台と信号端子台とを備えるものでは、現場での施工時に、電源線を信号端子台に接続する配線ミスが起こり、信号端子台に接続された各種の電気機器に不具合が生じるおそれがある。
【０００５】
上記事情に鑑みて、本開示は、配線ミスを防ぐことができる端子装置、及びこの端子装置を備えた照明装置を提供することを、目的とする。
【課題を解決するための手段】
【０００６】
本開示の一態様に係る端子装置は、電線が通される挿入孔が設けられた筐体と、前記筐体内に収容され、前記挿入孔を通して前記筐体内に挿入される前記電線と電気的に接続される導体とを有する端子台と、前記筐体の外側に位置し、前記挿入孔に比べて幅の狭い通し孔を有する誤接続防止部材と、を備える。
【０００７】
また、本開示の一態様に係る照明装置は、前記端子装置と、前記電線よりも太い第二の電線が接続される第二端子装置と、点灯する光源ユニットと、を備え、前記第二の電線の径は、前記通し孔の幅よりも大きい。
【発明の効果】
【０００８】
本開示の一態様に係る端子装置及び照明装置では、配線ミスを防ぐことができる。
【図面の簡単な説明】
【０００９】
【図１】図１Ａは、本開示に係る実施形態１の端子装置を示す斜視図であり、図１Ｂは、同上の端子装置に電線を接続した状態を示す平面図である。
【図２】図２Ａは、同上の端子装置の端子台を示す平面図であり、図２Ｂは、同上の端子台を示す正面図であり、図２Ｃは、図２ＡのＸ−Ｘ線の断面図であり、カバーを装着した状態の図である。
【図３】図３Ａは、同上の端子装置のカバーを示す平面図であり、図３Ｂは、同上のカバーを示す正面図であり、図３Ｃは、同上のカバーを示す側面図である。
【図４】図４Ａは、本開示に係る実施形態２の端子装置を示す斜視図であり、図４Ｂは、同上の端子装置に電線を接続した状態を示す平面図である。
【図５】図５Ａは、同上の端子装置の端子台を示す平面図であり、図５Ｂは、同上の端子台を示す正面図であり、図５Ｃは、図５ＡのＹ−Ｙ線の断面図であり、カバーを装着した状態の図である。
【図６】図６Ａは、同上の端子装置のカバーを示す平面図であり、図６Ｂは、同上のカバーを示す正面図であり、図６Ｃは、同上のカバーを示す一部破断側面図である。
【図７】図７Ａは、本開示に係る実施形態３の端子装置を示す平面図であり、図７Ｂは、同上の端子装置を示す正面図であり、図７Ｃは、同上の端子装置を示す側面図である。
【図８】図８は、本開示に係る実施形態１の端子装置を備える照明装置を示す分解斜視図である。
【図９】図９は、同上の照明装置の内部構造を概略的に示す図である。
【発明を実施するための形態】
【００１０】
（端子装置）
（実施形態１）
（１）概要
図１Ａ及び図１Ｂには、本開示に係る実施形態１の端子装置１が示されている。
【００１１】
端子装置１は、端子台２と、誤接続防止部材３と、を備える。端子台２は、電線Ｌ１が通される挿入孔２０が設けられた筐体２２と、筐体２２内に収容され、挿入孔２０を通して筐体２２内に挿入される電線Ｌ１が電気的に接続される導体２１とを有する。誤接続防止部材３は、筐体２２の外側に位置し、挿入孔２０に比べて幅の狭い通し孔３０を有する。
【００１２】
本実施形態の端子装置１では、誤接続防止部材３の通し孔３０に、通し孔３０の幅よりも太い電線（電線Ｌ１よりも太い電線）を通すことができず、太い電線が導体２１に接続されることを防止することができ、配線ミスを防ぐことができる。
【００１３】
（２）詳細
本実施形態の端子装置１は、端子台２に取り付けられるカバー４を更に備える。誤接続防止部材３は、カバー４と一体に設けられている。以下では、図１に示す矢印の向きで端子装置１の上下前後左右の各方向を定義し、各構成について詳しく説明する。
【００１４】
（２−１）端子台
端子台２は、図２Ａ、図２Ｂ及び図２Ｃに示すように、挿入孔２０が設けられた筐体２２と、筐体２２内に収容された導体２１と、電線Ｌ１を導体２１に対してねじ止めする端子ねじ２３と、を備える。筐体２２は、樹脂製（例えばユリア樹脂製）である。導体２１と端子ねじ２３のそれぞれは、導電性を有する金属（例えば黄銅）で形成される。
【００１５】
図１Ｂに示す電線Ｌ１は、単線や撚線等の導体を、絶縁体で被覆した絶縁電線であり、絶縁体で被覆された部分の径が１．０ｍｍ程度（例えば１±０．２ｍｍ）である。電線Ｌ１は、例えば、ＣＰＥＶケーブル（市内対ポリエチレン絶縁ビニル（ポリエチレン）シースケーブル）である。電線Ｌ１は、例えば信号線として用いられる。
【００１６】
図２Ａ、図２Ｂ及び図２Ｃに示すように、筐体２２は、外形がおよそ直方体状である。筐体２２は、矩形板状の底壁２２０と、底壁２２０の左右の端部から上方に突出した一対の側壁２２１と、底壁２２０の左右方向の中間部から上方に突出した中間壁２２２とを有する。一対の側壁２２１と中間壁２２２は、互いに平行であり、左右方向に間隔をあけて位置する。中間壁２２２の上面は、一対の側壁２２１の上面よりも下方に位置する。
【００１７】
筐体２２は、一対の側壁２２１と中間壁２２２との間に、上方及び前後方向のそれぞれに開放された左右一対のスペースＳ１が形成されている。左右一対のスペースＳ１のそれぞれに、導体２１が収容され、導体２１を上下方向に貫通するように端子ねじ２３が筐体２２に取り付けられている。
【００１８】
筐体２２は更に、底壁２２０の前端部から突出した左右一対の仕切壁２２３を有する。右の仕切壁２２３は、右の側壁２２１と中間壁２２２との間に間隔をあけて位置し、左の仕切壁２２３は、左の側壁２２１と中間壁２２２との間に間隔をあけて位置する。一対の仕切壁２２３のそれぞれの上面は、中間壁２２２の上面よりも下方に位置する。
【００１９】
右の仕切壁２２３と右の側壁２２１との間の部分と、右の仕切壁２２３と中間壁２２２との間の部分と、左の仕切壁２２３と左の側壁２２１との間の部分と、左の仕切壁２２３と中間壁２２２との間の部分のそれぞれが、電線Ｌ１が挿入される挿入孔２０である。
【００２０】
筐体２２は、都合４つの挿入孔２０を有する。４つの挿入孔２０のそれぞれは、入口側（前側）ほど左右方向に幅広である。
【００２１】
中間壁２２２及び底壁２２０には、筐体２２の固定に用いるねじが挿入される固定孔２２４と、カバー４に取り付けに用いる前後一対の引っ掛け孔２２５が設けられている。固定孔２２４と前後一対の引掛け孔２２５のそれぞれは、中間壁２２２及び底壁２２０を上下方向に貫通している。
【００２２】
端子台２は、後側に開放された左右一対の第二挿入孔２４を備える。左右一対の第二挿入孔２４は、左右一対のスペースＳ１のそれぞれの後端部分で構成される。図１Ｂに示すように、左右一対の第二挿入孔２４のそれぞれには、他の電線Ｌ２が通される。他の電線Ｌ２は、電線Ｌ１と同様の絶縁電線であり、絶縁体で被覆された部分の径が１．０ｍｍ程度（例えば１±０．２ｍｍ）である。他の電線Ｌ２は、一端が導体２１に、はんだ付け等で接続され、他端が他の電気機器に電気的に接続される。
【００２３】
図２Ａ、図２Ｂ及び図２Ｃに示すように、導体２１は、略矩形の板状であり、筐体２２の左右一対のスペースＳ１のそれぞれに、上下方向に移動可能に収容されている。導体２１には、端子ねじ２３が通される孔（図示せず）が設けられている。導体２１は、端子ねじ２３をねじ締めすることによって、下方に移動する。これにより、導体２１と筐体２２の底壁２２０との間に先端部が挿入された電線Ｌ１が、端子台２に対してねじ止めされる。
【００２４】
端子台２は、一対の側壁２２１の上端部間に、カバー４が収容されるカバー収容部２５を有する。カバー４は、中間壁２２２の上面によって支持される。
【００２５】
（２−２）カバー
カバー４は、図３Ａ、図３Ｂ及び図３Ｃに示すように、矩形板状のカバー本体４０と、カバー本体４０から下方に突出した前後一対の引掛け片４１と、を有する。カバー４は、樹脂製（例えばポリプロピレン樹脂製）である。
【００２６】
カバー本体４０には、左右一対の端子ねじ２３に対応する箇所に、上下方向に貫通した左右一対の開口４２と、上方に突出した筒部４３とが設けられている。
【００２７】
一対の引掛け片４１のそれぞれは、端子台２の前後一対の引掛け孔２２５に差し込んだ状態で引っ掛かるように構成されている。本実施形態では、一対の引掛け片４１のそれぞれの先端部（下端部）には、引掛け孔２２５内の段差に引っ掛かる爪４１０が設けられている。
【００２８】
カバー本体４０の前後方向の長さは、端子台２の前後方向の長さよりも若干長い。カバー４を端子台２に取り付けた状態で、カバー本体４０の前端部は、端子台２よりも前側に突出する。
【００２９】
本実施形態では、カバー本体４０の前端部から下方に突出するように、誤接続防止部材３がカバー４と一体に設けられている。
【００３０】
（２−３）誤接続防止部材
誤接続防止部材３は、端子台２の４つの挿入孔２０に対向する壁３１と、壁３１を前後方向に貫通するように設けられた複数（本実施形態では４つ）の通し孔３０と、を有する。
【００３１】
複数の通し孔３０のそれぞれは、挿入孔２０に比べて幅（左右方向の長さ）が狭く、かつ電線Ｌ１を通すことが可能な孔である。各通し孔３０の左右幅は、電線Ｌ１の径よりも僅かに（数ｍｍ程度）大きい。本実施形態では、複数の通し孔３０のそれぞれは、下方に開口した切欠きである。複数の通し孔３０は、端子台２の複数の挿入孔２０に対して、前後方向に一対一に並ぶように、壁３１に設けられている。
【００３２】
壁３１は、カバー本体４０の前端部から下方に突出している。壁３１と端子台２との間の距離は、電線Ｌ１の径及び通し孔３０の幅よりも短く、例えば、０．５ｍｍ程度である。
【００３３】
（３）端子装置の利用方法
以上説明した本実施形態の端子装置１の利用方法の一例について説明する。
【００３４】
まず、施工者は、端子台２を設置先に取り付ける。このとき、端子台２の固定孔２２４にねじを打ち込むことで、端子台２は設置先に固定することができる。
【００３５】
次いで、施工者は、端子台２の第二挿入孔２４に電線Ｌ２の先端部を通し、電線Ｌ２の先端部を、導体２１にはんだ付け等で接続する。
【００３６】
次いで、施工者は、端子台２の挿入孔２０に電線Ｌ１の先端部を通し、電線Ｌ１の先端部を導体２１と筐体２２の底壁２２０との間に挿入する。
【００３７】
次いで、施工者は、端子ねじ２３をねじ締めして、電線Ｌ１を、導体２１と筐体２２の底壁２２０との間に挟み込んだ状態でねじ止めする。これにより、電線Ｌ１は、端子台２の導体２１に対して電気的に接続される。
【００３８】
次いで、施工者は、端子台２の各挿入孔２０の前側に、誤接続防止部材３が位置するように、端子台２にカバー４を取り付ける。このとき、カバー４の前後一対の引掛け片４１を、端子台２の前後一対の引掛け孔２２５内に挿入することで、カバー４は端子台２に取り付けることができる。またこのとき、端子台２の導体２１に接続されている電線Ｌ１は、誤接続防止部材３の通し孔３０に通す。
【００３９】
（４）作用効果
以上説明した本実施形態の端子装置１では、端子台２の導体２１に接続されている電線が、誤接続防止部材３の通し孔３０の幅よりも太い電線であった場合、誤接続防止部材３の通し孔３０に入らず、端子台２に対してカバー４を取り付けることができない。これにより、本実施形態の端子装置１では、施工者が配線ミスに気付きやすく、配線ミスを防ぐことができる。
【００４０】
また、本実施形態の端子装置１では、誤接続防止部材３の通し孔３０を下方に開口した切欠き形状に設けているため、端子台２にカバー４を取り付ける際に、通し孔３０への電線Ｌ１の導入が簡単に行える。
【００４１】
また、本実施形態の端子装置１では、端子台２と誤接続防止部材３の壁３１との間の距離が、電線Ｌ１の径よりも短い。そのため、本実施形態の端子装置１では、カバー４を端子台２に取り付ける際に、電線Ｌ１よりも太い電線が、端子台２と壁３１との間のスペースに収まって、カバー４が端子台２に対して取付可能となることを防ぐことができる。
【００４２】
（実施形態２）
続いて、本開示に係る実施形態２の端子装置１について説明する。以下では、実施形態２の端子装置１について、実施形態１の端子装置１と同様の構成については図中に同一の符号を付して詳しい説明を省略し、実施形態１の端子装置１と異なる構成については詳しく説明する。
【００４３】
実施形態２の端子装置１は、図４Ａ及び図４Ｂに示すように、誤接続防止部材３が、カバー４ではなく、端子台２と一体に設けられている。
【００４４】
本実施形態では、図５Ａ、図５Ｂ及び図５Ｃに示すように、誤接続防止部材３の壁３１は、側面視（左右方向から視て）にて、Ｌ字状に設けられている。壁３１は、端子台２の前面に対して平行に位置する壁本体３１０と、壁本体３１０の下端部から後側に突出した連結部３１１と、を有する。壁３１は、連結部３１１の先端（後端）が端子台２の底壁２２０の前面と一体である。壁本体３１０と端子台２との間の距離が、電線Ｌ１の径よりも小さくなるように、壁３１は端子台２と一体に設けられる。壁本体３１０の上面は、端子台２の中間壁２２２の上面と略同じ高さである。
【００４５】
通し孔３０は、壁本体３１０を前後方向に貫通し、かつ上側に開口するように設けられた切欠きである。壁本体３１０のうち、端子台２の複数の挿入孔２０に対向する部分に、複数の通し孔３０が一対一に設けられている。
【００４６】
カバー４は、図６Ａ，図６Ｂ及び図６Ｃに示すように、実施形態１のカバー４から誤接続防止部材３を省略した構造である。カバー本体４０の前後長さは、端子台２の前後長さと同じである。
【００４７】
以上説明した実施形態２の端子装置１の利用方法の一例について簡単に説明する。
【００４８】
まず、施工者は、端子台２を設置先に取り付ける。
【００４９】
次いで、施工者は、端子台２の導体２１に電線Ｌ２の先端部を接続する。次いで、施工者は、電線Ｌ１の先端部を、誤接続防止部材３の通し孔３０と端子台２の挿入孔２０に通して、導体２１と筐体２２の底壁２２０の間に挿入する。
【００５０】
次いで、施工者は、端子ねじ２３をねじ締めして、電線Ｌ１を、導体２１と筐体２２の底壁２２０との間に挟み込んだ状態でねじ止めする。これにより、電線Ｌ１は、端子台２の導体２１に対して電気的に接続される。
【００５１】
次いで、施工者は、端子台２にカバー４を取り付ける。
【００５２】
以上説明した実施形態２の端子装置１では、誤接続防止部材３の通し孔３０の幅よりも太い電線を、誤接続防止部材３の通し孔３０に通すことができない。これにより、実施形態２の端子装置１では、施工者が配線ミスに気付きやすく、配線ミスを防ぐことができる。
【００５３】
また、実施形態２の端子装置１では、誤接続防止部材３の通し孔３０を上方に開口した切欠き形状に設けているため、通し孔３０への電線Ｌ１の導入が簡単に行える。
【００５４】
また、実施形態２の端子装置１では、端子台２と誤接続防止部材３の壁３１（壁本体３１０）との間の距離が、電線Ｌ１の径よりも短い。そのため、実施形態２の端子装置１では、電線Ｌ１よりも太い電線が、端子台２と壁３１との間のスペースに通されることを防ぐことができる。
【００５５】
（実施形態３）
続いて、本開示に係る実施形態３の端子装置１について説明する。以下では、実施形態３の端子装置１について、実施形態１の端子装置１と同様の構成については図中に同一の符号を付して詳しい説明を省略し、実施形態１の端子装置１と異なる構成については詳しく説明する。
【００５６】
実施形態３の端子装置１は、図７Ａ、図７Ｂ及び図７Ｃに示すように、誤接続防止部材３が、カバー４及び端子台２に対して、別体に設けられている。
【００５７】
誤接続防止部材３は、矩形板状のベース３２を有する。壁３１は、ベース３２の前端部から上方に突出している。壁３１は、端子台２との間の距離が、電線Ｌ１の径よりも小さくなるように、ベース３２に一体に設けられている。壁３１の上面は、端子台２の中間壁２２２の上面と略同じ高さである。
【００５８】
通し孔３０は、壁３１を前後方向に貫通し、かつ上側に開口するように設けられた切欠きである。壁３１のうち、端子台２の複数の挿入孔２０に対向する部分に、複数の通し孔３０が一対一に設けられている。
【００５９】
端子台２は、図２Ａ、図２Ｂ及び図２Ｃに示す実施形態１の端子台２と同じ構造である。カバー４は、図６Ａ、図６Ｂ及び図６Ｃに示す実施形態２のカバー４と同じ構造である。
【００６０】
以上説明した実施形態３の端子装置１の利用方法の一例について簡単に説明する。
【００６１】
まず、施工者は、設置先に、誤接続防止部材３のベース３２を設置し、壁３１に対して複数の挿入孔２０が対向するように、ベース３２の上に端子台２を載せて、端子台２と誤接続防止部材３を設置先にねじで固定する。
【００６２】
次いで、施工者は、端子台２の導体２１に電線Ｌ２を接続する。次いで、施工者は、電線Ｌ１の先端部を、誤接続防止部材３の通し孔３０と端子台２の挿入孔２０に通して、導体２１と筐体２２の底壁２２０の間に挿入する。
【００６３】
次いで、施工者は、端子ねじ２３をねじ締めして、電線Ｌ１を、導体２１と筐体２２の底壁２２０との間に挟み込んだ状態でねじ止めする。これにより、電線Ｌ１は、端子台２の導体２１に対して電気的に接続される。
【００６４】
次いで、施工者は、端子台２にカバー４を取り付ける。
【００６５】
以上説明した実施形態３の端子装置１では、誤接続防止部材３の通し孔３０の幅よりも太い電線を、誤接続防止部材３の通し孔３０に通すことができない。これにより、実施形態３の端子装置１では、施工者が配線ミスに気付きやすく、配線ミスを防ぐことができる。
【００６６】
また、実施形態３の端子装置１では、誤接続防止部材３の通し孔３０を上方に開口した切欠き形状に設けているため、通し孔３０への電線Ｌ１の導入が簡単に行える。
【００６７】
また、実施形態３の端子装置１では、端子台２と誤接続防止部材３の壁３１との間の距離が、電線Ｌ１の径よりも短いため、電線Ｌ１よりも太い電線が、端子台２と壁３１との間のスペースに通されることを防ぐことができる。
【００６８】
また、実施形態３の端子装置１では、誤接続防止部材３を、端子台２やカバー４とは別に形成することができるため、端子台２やカバー４の金型の変更等が不要で、製造コストを抑えることができる。
【００６９】
（照明装置）
続いて、上述した実施形態１〜３のいずれかの端子装置１を備える照明装置１００の一例について説明する。
【００７０】
図８及び図９に示す照明装置１００は、建物等の避難口を表示するための避難口誘導灯器具である。照明装置１００は、外部の誘導灯信号装置（図示せず）から信号を受けた場合に光源（第二光源ユニット１１）を点滅させる、点滅形の避難口誘導灯器具として構成されている。照明装置１００は、例えば、建物の天井材又は壁材等に相当する構造体に取り付けられる。
【００７１】
照明装置１００は、端子装置１と、電線Ｌ１よりも太い第二の電線Ｌ３が接続される第二端子装置５と、点灯する光源ユニット６と、を備える。第二の電線Ｌ３の径は、誤接続防止部材３の通し孔３０の幅（左右方向の長さ）よりも大きい。
【００７２】
照明装置１００は更に、前面が開口した矩形の箱型の筐体７と、筐体７の前面に着脱可能に取り付けられる前面パネル８と、筐体７の前面に取り付けられ、前面に誘導表示として人が避難している状態を示すピクトグラムが表示されている表示板９と、を備える。
【００７３】
照明装置１００は更に、光源ユニット６を点灯制御する点灯制御装置１０と、誘導用の点灯又は点滅駆動を行う第二光源ユニット１１と、誘導音声を出力するスピーカ１２と、第二光源ユニット１１とスピーカ１２を制御する駆動制御装置１３と、を備える。
【００７４】
照明装置１００は更に、停電時用の蓄電池１４，１５と、第三端子装置１６と、第四端子装置１７と、点検スイッチ１８，１９と、を備える。
【００７５】
端子装置１には、外部の煙感知器等に接続された電線Ｌ１が接続される。電線Ｌ１は、外部から筐体７内に引き込まれた信号線である。端子装置１は、他の電線Ｌ２を介して、駆動制御装置１３に接続されている。
【００７６】
第二端子装置５は、端子装置１に隣接して位置する。本実施形態では、第二端子装置５は、端子装置１から誤接続防止部材３を省いた構造である。つまり、第二端子装置５は、図３Ａ、図３Ｂ及び図３Ｃに示す端子台２と、図６Ａ、図６Ｂ及び図６Ｃに示すカバー４とを備える。第二端子装置５は、複数の挿入孔２０が、端子装置１の複数の挿入孔２０に対向して位置するように、配置されている。
【００７７】
第二端子装置５は、第二の電線Ｌ３を介して、外部の誘導灯信号装置や、建物の上層階又は下層階にある別の誘導灯器具に接続される。第二の電線Ｌ３は、外部から筐体７内に引き込まれた信号線であり、ＡＣ１００Ｖ用の絶縁電線である。第二の電線Ｌ３は、絶縁体で覆われた部分の径が、例えば３．５ｍｍである。第二端子装置５は、他の電線Ｌ４を介して、駆動制御装置１３に接続されている。
【００７８】
第三端子装置１６には、外部から筐体７内に引き込まれた第三の電線Ｌ５が接続される。第三端子装置１６は、第三の電線Ｌ５を差し込むことで接続可能な、ねじなし端子（いわゆる速結端子）である。第三の電線Ｌ５は、電源線であり、ＡＣ１００Ｖ用の絶縁電線である。第三の電線Ｌ５は、絶縁体で覆われた部分の径が、例えば３．５ｍｍである。第三端子装置１６は、点灯制御装置１０と駆動制御装置１３のそれぞれに、電気的に接続されている。
【００７９】
第四端子装置１７は、スピーカ１２と駆動制御装置１３のそれぞれに、電気的に接続されている。第四端子装置１７は、第二端子装置５と同様の構造である。
【００８０】
光源ユニット６は、一対の発光ダイオード６０と、棒状の導光部材６１と、発光ダイオード６０及び導光部材６１を収容するケース６２と、を有する。表示板９は、光源ユニット６によって照らされることで、前面が全体的に発光する。光源ユニット６は、点灯制御装置１０と蓄電池１４と第三端子装置１６のそれぞれに対して、電気的に接続されている。
【００８１】
点灯制御装置１０は、外部電源（例えば、商用の電力系統）から供給される電力で発光ダイオード６０を点灯させ、外部電源の電力供給が停止（停電）したときは、蓄電池１４から放電される電力で発光ダイオード６０を点灯させる制御を行う。
【００８２】
点検スイッチ１８は、停電時に蓄電池１４の電力によって発光ダイオード６０が正常に駆動するか否かを点検するためのスイッチである。
【００８３】
駆動制御装置１３には、第二光源ユニット１１とスピーカ１２と蓄電池１５のそれぞれが、電気的に接続されている。駆動制御装置１３は、第二の電線Ｌ３を介して外部の誘導灯信号装置から信号を受信したとき、第二光源ユニット１１を点灯又は点滅させ、かつスピーカ１２から音声メッセージを出力させる。駆動制御装置１３は、外部電源の電力供給が停止（停電）したときに、蓄電池１５から放電される電力で第二光源ユニット１１及びスピーカ１２を駆動する制御を行う。
【００８４】
点検スイッチ１９は、停電時に蓄電池１５の電力によって第二光源ユニット１１とスピーカ１２が正常に駆動するか否かを点検するためのスイッチである。
【００８５】
以上説明した照明装置１００では、端子装置１と第二端子装置５が隣接して位置するため、電線Ｌ１，Ｌ３の配線ミスが生じやすいが、端子装置１が誤接続防止部材３を備えているため、配線ミスを効果的に防止することができる。
【００８６】
（変形例）
続いて、上述した実施形態１〜３の端子装置１及び照明装置１００の変形例について説明する。
【００８７】
通し孔３０の形状は、切欠き形状に限らず、壁３１を厚み方向にのみ貫通する孔であってもよい。
【００８８】
壁３１と挿入孔２０の間の距離は、電線Ｌ１の径よりも大きくてもよい。この場合でも、誤接続防止部材３によって配線ミスを防ぐことが可能である。
【００８９】
誤接続防止部材３の壁３１は、１つの壁に限らず、左右方向に間隔をおいて並んだ複数の壁で構成され、各壁に通し孔３０が設けられてもよい。
【００９０】
筐体２２に設けられる挿入孔２０の数や、筐体２２内に収容される導体２１の数は、図に示す数に限定されず、適宜変更可能である。
【００９１】
照明装置１００は、図８及び図９に示す構造に限らず、端子装置１、第二端子装置５及び光源ユニット６を備え、かつ第二の電線Ｌ３の径が、通し孔３０の幅よりも大きい構造であればよい。
【００９２】
また、端子装置１は、照明装置１００に限らず、その他の電気機器が備えてもよい。
【００９３】
（まとめ）
以上説明した実施形態１〜３及びその変形例の端子装置１のように、第一態様の端子装置１は、下記の構成を備える。
【００９４】
すなわち、第一態様の端子装置１は、端子台２と、誤接続防止部材３と、を備える。端子台２は、電線Ｌ１が通される挿入孔２０が設けられた筐体２２と、筐体２２内に収容され、挿入孔２０を通して筐体２２内に挿入される電線Ｌ１が電気的に接続される導体２１とを有する。誤接続防止部材３は、筐体２２の外側に位置し、挿入孔２０に比べて幅の狭い通し孔３０を有する。
【００９５】
上記構成を備えることで、第一態様の端子装置１では、誤接続防止部材３の通し孔３０に、通し孔３０の幅よりも太い電線（つまり電線Ｌ１よりも太い電線Ｌ３）を通すことができず、太い電線が導体２１に接続されることを防止することができる。これにより、第一態様の端子装置１では、配線ミスを防ぐことができる。
【００９６】
また、実施形態１〜３及びその変形例の端子装置１のように、第二態様の端子装置１は、第一態様の端子装置１の構成に加えて、下記の構成を付加的に備える。
【００９７】
すなわち、第二態様の端子装置１では、誤接続防止部材３は、筐体２２の外側において挿入孔２０に対向する壁３１を更に有し、通し孔３０は、壁３１に貫通するように設けられている。
【００９８】
上記構成を備えることで、第二態様の端子装置１では、誤接続防止部材３を、壁３１とそこに設けられた通し孔３０といった簡単な構造で形成することができる。
【００９９】
また、実施形態１〜３及びその変形例の端子装置１のように、第三態様の端子装置１は、第二態様の端子装置１の構成に加えて、下記の構成を付加的に備える。
【０１００】
すなわち、第二態様の端子装置１では、壁３１と挿入孔２０の間の距離は、電線Ｌ１の径よりも短い。
【０１０１】
上記構成を備えることで、第三態様の端子装置１では、壁３１と挿入孔２０との間のスペースに、電線Ｌ１よりも太い電線が通されて、通し孔３０の誤接続防止機能が発揮できなくなることを防ぐことができる。
【０１０２】
また、実施形態１〜３及びその変形例の端子装置１のように、第四態様の端子装置１は、第二又は第三態様の端子装置１の構成に加えて、下記の構成を付加的に備える。
【０１０３】
すなわち、第四態様の端子装置１では、通し孔３０は、壁３１に設けられた切欠きである。
【０１０４】
上記構成を備えることで、第四態様の端子装置１では、通し孔３０に電線Ｌ１を通しやすくて、施工しやすい。
【０１０５】
また、実施形態１及びその変形例の端子装置１のように、第五態様の端子装置１は、第一〜第四態様のいずれかの端子装置１の構成に加えて、下記の構成を付加的に備える。
【０１０６】
すなわち、第五態様の端子装置１は、端子台２に取り付けられるカバー４を更に備える。誤接続防止部材３は、カバー４と一体に設けられている。
【０１０７】
上記構成を備えることで、第五態様の端子装置１では、カバー４と一体の誤接続防止部材３によって、配線ミスを防ぐことができ、また、カバー４と誤接続防止部材３が一体であるため、部品点数を抑えることができる。
【０１０８】
また、実施形態２及びその変形例の端子装置１のように、第六態様の端子装置１は、第一〜第四態様のいずれかの端子装置１の構成に加えて、下記の構成を付加的に備える。
【０１０９】
すなわち、第六態様の端子装置１では、誤接続防止部材３は、端子台２と一体に設けられている。
【０１１０】
上記構成を備えることで、第六態様の端子装置１では、端子台２と一体の誤接続防止部材３によって、配線ミスを防ぐことができ、また、端子台２と誤接続防止部材３が一体であるため、部品点数を抑えることができる。
【０１１１】
また、第七態様の照明装置１００は、第一〜第六態様のいずれかの端子装置１と、電線Ｌ１よりも太い第二の電線Ｌ３が接続される第二端子装置５と、点灯する光源ユニット６と、を備える。第二の電線Ｌ３の径は、通し孔３０の幅よりも大きい。
【０１１２】
上記構成を備えることで、第七態様の照明装置１００では、端子装置１の誤接続防止部材３の通し孔３０には、第二の電線Ｌ３が通らず、端子装置１に誤って第二の電線Ｌ３を接続するといった配線ミスを、誤接続防止部材３によって防ぐことができる。
【０１１３】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１１４】
１      端子装置
２      端子台
２０    挿入孔
２１    導体
２２    筐体
３      誤接続防止部材
３０    通し孔
３１    壁
４      カバー
５      第二端子装置
６      光源ユニット
１００  照明装置
Ｌ１    電線
Ｌ３    第二の電線
【図１】
2020021575.tif 000003
【図２】
2020021575.tif 000004
【図３】
2020021575.tif 000005
【図４】
2020021575.tif 000006
【図５】
2020021575.tif 000007
【図６】
2020021575.tif 000008
【図７】
2020021575.tif 000009
【図８】
2020021575.tif 000010
【図９】
2020021575.tif 000011